(57)【要約】【課題】バスト脇側の造形性を高めることが可能なカップ部を有する衣類を提供する。【解決手段】本発明の一実施形態に係るブラジャー１は、カップ部１０と、土台部１２と、バック部１４と、カップ部１０と土台部１２との境界においてカップ部１０の下辺部に沿って延在するカップくり部２０と、カップ部１０の裏側においてカップ部１０の脇側下部に位置し、非伸縮性又は難伸縮性を有し、バスト脇側を押圧する脇押圧部４０とを備え、脇押圧部４０は、カップくり部２０の裏側においてカップくり部２０の脇側部分と重なっており、カップ部１０の脇辺部下側、カップ部１０の下辺部脇側、土台部１２の脇辺部、及び、前記土台部の下辺部脇側のうちの何れかによって支持されており、当該支持された部分以外では実質的に支持されていない。【選択図】図１
2014196581.tif 000002
【特許請求の範囲】
【請求項１】
バストを覆うためのカップ部と、前記カップ部の下辺部を支持するための土台部と、前記土台部及び前記カップ部を支持するためのバック部と、前記カップ部と前記土台部との境界において前記カップ部の下辺部に沿って延在するカップくり部とを有する衣類において、
前記カップ部の裏側において前記カップ部の脇側下部に位置し、非伸縮性又は難伸縮性を有し、バスト脇側を押圧する脇押圧部を備え、
前記脇押圧部は、前記カップくり部の裏側において前記カップくり部の脇側部分と重なっており、前記カップ部の脇辺部下側、前記カップ部の下辺部脇側、前記土台部の脇辺部、及び、前記土台部の下辺部脇側のうちの何れかによって支持されており、当該支持された部分以外では実質的に支持されていない、
カップ部を有する衣類。
【請求項２】
前記カップくり部にはカップワイヤーが装着されている、
請求項１に記載のカップ部を有する衣類。
【請求項３】
前記カップ部の脇辺部及び前記土台部の脇辺部と、前記バック部及びストラップ部との間に位置し、伸縮性を有し、前記カップ部の脇辺部よりも脇側上部のスムージングを行うスムージング部を更に備える、
請求項１又は２に記載のカップ部を有する衣類。
【発明の詳細な説明】
【技術分野】
【０００１】
本発明は、バストを覆うためのカップ部を有する衣類に関するものである。
【背景技術】
【０００２】
特許文献１〜４には、バストを覆うためのカップ部を有する衣類として、ブラジャーが開示されている。これらのブラジャーは、バスト脇側の造形性を高めるための部材を備えている。
【０００３】
具体的には、特許文献１に開示のブラジャーは、カップ部の上端部から下縁湾曲部の脇側末端にわたるカップ部の脇側縁部、及びその下方延長上に延在するテープ状の脇補強部材７を備えている。また、特許文献２に開示のブラジャーは、カップ部の脇側部の裏面側に伸縮性のサポート布５を備えるとともに、カップ部の脇側部の表面側に非伸縮性の脇側カップ表布１２を備えている。また、特許文献３に開示のブラジャーは、伸縮性のカップ脇布６を備えている。これらの脇補強部材７、サポート布５、脇側カップ表布１２、及び、カップ脇布６は、ストラップ部に連結されており、バック部による横方向へ引く力に加えて、ストラップ部による上方への引き上げ力を利用して、バストを脇から押さえるように作用する。
【０００４】
一方、特許文献４に開示のブラジャーは、バージスラインの脇側から下方背側へ傾斜するボーン１４を備えると共に、カップ部の脇側にエラストマー樹脂１９を備えている。
【先行技術文献】
【特許文献】
【０００５】
【特許文献１】特開２０００−６４１０５号公報
【特許文献２】特開平７−９７７０１号公報
【特許文献３】実開昭６２−２０３２０９号公報
【特許文献４】特開平１０−２９２２０８号公報
【発明の概要】
【発明が解決しようとする課題】
【０００６】
本発明は、上記同様、バスト脇側の造形性を高めることが可能なカップ部を有する衣類を提供することを目的としている。
【課題を解決するための手段】
【０００７】
本願発明者らは、ストラップ部による上方へ引く力を利用することなく、バック部による横方向へ引く力のみで、バスト脇側の造形性を高める試みを行った。この試みにおいて、本願発明者らは、バック部による横方向へ引く力によって、カップくり部には着用者側に押圧する力が発生することに着目した。そして、本願発明者らは、このカップくり部による着用者側への押圧力を利用して、バスト脇側を面で押圧し、バスト脇側をすっきりしたシルエットに造形することを見出した。
【０００８】
本発明のカップ部を有する衣類は、バストを覆うためのカップ部と、カップ部の下辺部を支持するための土台部と、土台部及びカップ部を支持するためのバック部と、カップ部と土台部との境界においてカップ部の下辺部に沿って延在するカップくり部とを有する衣類において、カップ部の裏側においてカップ部の脇側下部に位置し、非伸縮性又は難伸縮性を有し、バスト脇側を押圧する脇押圧部を備え、脇押圧部は、カップくり部の裏側においてカップくり部の脇側部分と重なっており、カップ部の脇辺部下側、カップ部の下辺部脇側、土台部の脇辺部、及び、前記土台部の下辺部脇側のうちの何れかによって支持されており、当該支持された部分以外では実質的に支持されていない。
【０００９】
ここで、「実質的に支持されていない」とは、例えば、縫着されていないことのみならず、カップ部及びカップくり部に対して変位可能に簡易縫着されていることも含むものとする。
【００１０】
このカップ部を有する衣類によれば、脇押圧部がカップくり部の裏側においてカップくり部の脇側部分と重なっているので、カップくり部による着用者側への押圧力を利用して、換言すれば、カップくり部が脇押圧部を着用者側へ押しつける力を利用して、脇押圧部がバスト脇側を面で押圧することができる。その結果、バスト脇側をすっきりしたシルエットに造形することができ、バスト脇側の造形性を高めることができる。
【００１１】
また、このカップ部を有する衣類によれば、脇押圧部がカップ部の脇辺部、カップ部の下辺部脇側、土台部の脇辺部、及び、土台部の下辺部脇側のうちの何れかによって支持されており、当該支持された部分以外では実質的に支持されていないので、着用者の動きに伴い、バスト脇側の造形性が損なわれることを抑制することができる。
【００１２】
上記したカップくり部にはカップワイヤーが装着されていてもよい。この構成によれば、カップワイヤーの脇側端部による着用者側への押圧力（換言すれば、カップワイヤーの脇側端部が脇押圧部を着用者側へ押しつける力）をも利用して、脇押圧部がバスト脇側を面で更に押圧することができる。その結果、バスト脇側を更にすっきりしたシルエットに造形することができ、バスト脇側の造形性を更に高めることができる。
【００１３】
ここで、カップワイヤーの端部の接触に痛みを感じる人がいる。この点に関し、この構成によれば、カップワイヤーの端部による着用者側への押圧力を、脇押圧部によって面に分散することができるので、カップワイヤーの端部の接触による痛みを抑制することができる。
【００１４】
また、上記したカップ部の脇辺部及び土台部の脇辺部と、バック部及びストラップ部との間に位置し、伸縮性を有し、カップ部の脇辺部よりも脇側上部のスムージングを行うスムージング部を更に備えていてもよい。この構成によれば、スムージング部がカップ部の脇辺部よりも脇側上部のスムージングを行うので、カップ部の脇辺部を境界として段差ができることを抑制することができる。
【００１５】
なお、カップ部の脇辺部とストラップ部との間にスムージング部を設ける構成は、上記したように、ストラップ部による上方へ引く力を利用する必要がないことにより実現できたものである。
【発明の効果】
【００１６】
本発明によれば、バスト脇側の造形性を高めることができる。
【図面の簡単な説明】
【００１７】
【図１】本発明の第１の実施形態に係るブラジャーを裏側（肌側）から示す斜視図である。
【図２】バスト脇側を示す図である。
【図３】第１の実施形態の変形例に係るブラジャーを裏側から示す斜視図である。
【図４】第１の実施形態の変形例に係るブラジャーを裏側から示す斜視図である。
【図５】第１の実施形態の変形例に係るブラジャーを裏側から示す斜視図である。
【図６】本発明の第２の実施形態に係るブラジャーを裏側から示す斜視図である。
【図７】第２の実施形態の変形例に係るブラジャーを裏側から示す斜視図である。
【図８】第２の実施形態の変形例に係るブラジャーを裏側から示す斜視図である。
【図９】第２の実施形態の変形例に係るブラジャーを裏側から示す斜視図である。
【発明を実施するための形態】
【００１８】
以下、図面を参照して本発明のカップ部を有する衣類の好適な実施形態について詳細に説明する。なお、各図面において同一又は相当の部分に対しては同一の符号を附すこととする。
［第１の実施形態］
【００１９】
図１は、本発明の第１の実施形態に係るブラジャーを裏側（肌側）から示す斜視図である。第１の実施形態のブラジャー１は、カップ部１０と、土台部１２と、バック部１４と、ストラップ部１６と、カップくり部２０と、カップワイヤー３０と、脇押圧部４０と、スムージング部５０とを備えている。なお、ブラジャー１は左右略対称であるので、以下では左右の一方のみによって説明する。
【００２０】
カップ部１０は、バストを覆うためのものであり、例えば、三枚の布地を略Ｔ字状の接ぎ目を有するように接ぎ合わせることにより立体的に形成される（Ｔ字状三枚接ぎカップ部）。カップ部１０は、土台部１２に支持されている。土台部１２は、非伸縮性の布からなっており、カップ部１０の下辺部と縫着されている。カップ部１０の脇辺部及び土台部１２の脇辺部は、スムージング部５０を介してバック部１４と連結されている。バック部１４は、伸縮性の布からなっており、背中において連結することによって、土台部１２及びカップ部１０を支持するためのものである。また、カップ部１０の脇辺部上側は、スムージング部５０を介してストラップ部１６に連結されている。ストラップ部１６は、伸縮性のテープ材からなっており、肩を介してバック部１４に連結されることによって、カップ部１０を支持するためのものである。
【００２１】
また、カップ部１０と土台部１２との境界の裏側（肌側）には、カップ部１０の下辺部に沿ってテープ部材が縫着されることにより、カップくり部２０が形成されている。このカップくり部２０の内部には、カップワイヤー３０が装着されている。また、土台部１２の下辺部の裏側、スムージング部５０の下辺部の裏側、及び、バック部１４の下辺部の裏側には、伸縮性のテープ部材が縫着されている。また、カップ部１０の脇辺部から土台部１２の脇辺部までの裏側にも、伸縮性のテープ部材が縫着されている。また、カップ部１０の裏側には、脇押圧部４０が設けられている。以下では、脇押圧部４０及びスムージング部５０について詳細に説明する。
【００２２】
脇押圧部４０は、バスト脇側を押圧するためのものであり、カップ部１０の脇側下部から土台部１２の脇側部にわたって、カップ部１０及び土台部１２の裏側に配置されている。また、脇押圧部４０は、カップくり部２０及びカップワイヤー３０の脇側部分の裏側に重なっている。
【００２３】
より具体的には、脇押圧部４０の脇辺部４１は、カップ部１０の脇辺部下側から土台部１２の脇辺部にわたって縫着されており、脇押圧部４０の下辺部４２は、土台部１２の下辺部に縫着されている。すなわち、脇押圧部４０の脇辺部４１は、カップ部１０の脇辺部下側及び土台部１２の脇辺部によって支持されており、脇押圧部４０の下辺部４２は、土台部１２の下辺部によって支持されている。
【００２４】
また、脇押圧部４０の脇辺部４１及び下辺部４２以外の部分は、実質的に支持されていない。すなわち、脇押圧部４０の脇辺部４１及び下辺部４２以外の部分は、カップ部１０及び土台部１２と非縫着であってもよいし、カップ部１０及び土台部１２に対して変位可能に簡易縫着されていてもよい。なお、脇押圧部４０の脇辺部４１及び下辺部４２以外の縁部は、端始末処理が施されていてもよい。
【００２５】
脇押圧部４０としては、非伸縮性又は難伸縮性の部材が用いられる。脇押圧部４０は、クッション性を有していてもよい。
【００２６】
次に、スムージング部５０は、カップ部１０の脇辺部より脇側上部のスムージングを行うものであり、上述したように、カップ部１０及び土台部１２と、バック部１４及びストラップ部１６との間に設けられている。
【００２７】
具体的には、スムージング部５０の前辺部は、カップ部１０の脇辺部から土台部１２の脇辺部にわたって縫着されており、スムージング部５０の脇辺部下側は、バック部１４に縫着されている。スムージング部５０の上辺部は、カップ部１０の上辺部の延長線に沿って斜め上方に延びており、スムージング部５０の上辺部脇側にストラップ部１６が縫着されている。スムージング部５０におけるストラップ部１６との結合部からバック部１４との結合部までの脇辺部上側は、着用者の脇下に沿って湾曲して延びている。
【００２８】
スムージング部５０としては、伸縮性の部材が用いられる。スムージング部５０の上辺部及び脇辺部上側は、端始末処理が不要なヘム仕様となっていてもよい。また、バック部１４の上辺部もヘム仕様となっていてもよい。
【００２９】
ここで、バスト脇側をすっきりしたシルエットに造形したいという要望がある。例えば、図２に示すように、中高年層では、バストが下垂してお肉がバスト脇側Ａに流れてしまい、バスト脇側と体幹との境界、すなわちバージスラインＢの脇側が不明瞭となってしまう。また、バスト上部Ｃが削げてしまう。この点に関し、本願発明者らは、バスト脇側Ａを面で押圧することにより、バスト脇側をすっきりしたシルエットに造形することができると共に、バスト脇側Ａのお肉をバスト上部Ｃに効率よく移動することができることを見出した。
【００３０】
なお、低年層でも、バスト脇側Ａに付いたお肉が気になる人がおり、バスト脇側をすっきりしたシルエットに造形したいという要望がある。すなわち、本願発明の特徴は、低〜高年層全てに適用可能である。
【００３１】
また、本願発明者らは、ストラップ部による上方へ引く力を利用することなく、バック部による横方向へ引く力のみで、バスト脇側の造形性を高める試みを行った。この試みにおいて、本願発明者らは、バック部による横方向へ引く力によって、カップくり部には着用者側に押圧する力が発生することに着目した。そして、本願発明者らは、このカップくり部による着用者側への押圧力を利用して、バスト脇側を面で押圧し、バスト脇側をすっきりしたシルエットに造形することを見出した。
【００３２】
これらの点に関し、第１の実施形態のブラジャー１によれば、脇押圧部４０がカップくり部２０の裏側においてカップくり部２０の脇側部分と重なっているので、カップくり部２０による着用者側への押圧力を利用して、換言すれば、カップくり部２０が脇押圧部４０を着用者側へ押しつける力を利用して、脇押圧部４０がバスト脇側を面で押圧することができる。また、カップワイヤー３０の脇側端部による着用者側への押圧力（換言すれば、カップワイヤー３０の脇側端部が脇押圧部４０を着用者側へ押しつける力）をも利用して、脇押圧部４０がバスト脇側を面で押圧することができる。その結果、バスト脇側をすっきりしたシルエットに造形することができ、バスト脇側の造形性を高めることができる。
【００３３】
また、第１の実施形態のブラジャー１によれば、脇押圧部４０がカップ部１０の脇辺部、及び、土台部１２の脇辺部によって支持されており、当該支持された部分以外では実質的に支持されていないので、着用者の動きに伴い、バスト脇側の造形性が損なわれることを抑制することができる。
【００３４】
また、第１の実施形態のブラジャー１によれば、カップワイヤー３０の端部による着用者側への押圧力を、脇押圧部４０によって面に分散することができるので、カップワイヤー３０の端部の接触による痛みを抑制することができる。
【００３５】
また、第１の実施形態のブラジャー１によれば、スムージング部５０がカップ部１０の脇辺部より脇側上部のスムージングを行うので、カップ部１０の脇辺部を境界として段差ができることを抑制することができる。なお、カップ部１０の脇辺部上側とストラップ部１６との間にスムージング部５０を設ける構成は、上記したように、ストラップ部１６による上方へ引く力を利用する必要がないことにより実現できたものである。
［第１の実施形態の変形例］
【００３６】
図３〜５は、第１の実施形態の変形例に係るブラジャーを裏側（肌側）から示す図である。図３に示すように、カップ部１０の脇辺部下側及び土台部１２の脇辺部よりも脇側の裏側に、脇押圧部４０’が更に設けられていてもよい。脇押圧部４０’としては、脇押圧部４０と同様の部材が用いられる。
【００３７】
より具体的には、脇押圧部４０’の前辺部は、カップ部１０の脇辺部下側から土台部１２の脇辺部にわたって縫着されており、脇押圧部４０’の下辺部は、スムージング部５０の下辺部に縫着されている。すなわち、脇押圧部４０’の前辺部は、カップ部１０の脇辺部下側及び土台部１２の脇辺部によって支持されており、脇押圧部４０’の下辺部は、スムージング部５０の下辺部によって支持されている。
【００３８】
また、脇押圧部４０’の前辺部及び下辺部以外の部分は、実質的に支持されていない。すなわち、脇押圧部４０’の前辺部及び下辺部以外の部分は、カップ部１０及びスムージング部５０と非縫着であってもよいし、カップ部１０及びスムージング部５０に対して変位可能に簡易縫着されていてもよい。なお、脇押圧部４０’の前辺部及び下辺部以外の縁部は、端始末処理が施されていてもよい。
【００３９】
なお、図３では、脇押圧部４０及び脇押圧部４０’が、脇布バイアステープ４４よりも表側に配置され、脇布バイアステープ４４と共に縫着される一例を示したが、脇押圧部４０及び脇押圧部４０’は、脇布バイアステープ４４よりも裏側（肌側）に配置されて、脇布バイアステープ４４と共に縫着されてもよい。
【００４０】
また、図４に示すように、図３に示す脇押圧部４０と脇押圧部４０’とが一体的に形成されて脇押圧部４０をなしており、この脇押圧部４０が脇布バイアステープ４４よりも裏側（肌側）に配置されていてもよい。
【００４１】
より具体的には、脇押圧部４０の下辺部は、土台部１２の下辺部脇側及びスムージング部５０の下辺部に縫着されている。すなわち、脇押圧部４０の下辺部は、土台部１２の下辺部脇側及びスムージング部５０の下辺部によって支持されている。
【００４２】
また、脇押圧部４０の下辺部以外の部分は、実質的に支持されていない。すなわち、脇押圧部４０の下辺部以外の部分は、カップ部１０、土台部１２、スムージング部５０、及び、脇布バイアステープ４４と非縫着であってもよいし、カップ部１０、土台部１２、スムージング部５０、及び、脇布バイアステープ４４に対して変位可能に簡易縫着されていてもよい。なお、脇押圧部４０の下辺部以外の縁部は、端始末処理が施されていてもよい。
【００４３】
なお、図４では、脇押圧部４０が、脇布バイアステープ４４よりも裏側に配置される一例を示したが、脇押圧部４０は、脇布バイアステープ４４よりも表側に配置されていてもよい。例えば、脇押圧部４０は、脇布バイアステープ４４よりも表側であって、カップ部１０、土台部１２、及び、スムージング部５０よりも裏側に配置されていてもよい。この場合、脇押圧部４０は、脇布バイアステープ４４と共に縫着されてもよい。
【００４４】
また、図５に示すように、脇押圧部４０の下辺部の前中心側は、バージスラインの最下点付近に位置していてもよい。すなわち、脇押圧部４０は、バージスラインの最下点付近から脇側にわたって、すなわち、カップくり部２０の最下点付近から脇側部分にわたって、カップくり部２０及びカップワイヤー３０と重なっていてもよい。
［第２の実施形態］
【００４５】
図６は、本発明の第２の実施形態に係るブラジャーを裏側（肌側）から示す斜視図である。第２の実施形態のブラジャー１Ａは、主にスムージング部５０を備えない点で第１の実施形態のブラジャー１と異なっている。具体的には、第２の実施形態のブラジャー１Ａは、カップ部１０Ａと、土台部１２Ａと、バック部１４Ａと、ストラップ部１６Ａと、カップくり部２０Ａと、カップワイヤー３０Ａと、脇押圧部４０Ａとを備えている。なお、ブラジャー１は左右略対称であるので、以下では左右の一方のみによって説明する。
【００４６】
カップ部１０Ａは、バストを覆うためのものであり、例えば、カップ部１０と同様に、三枚の布地を略Ｔ字状の接ぎ目を有するように接ぎ合わせることにより立体的に形成される（Ｔ字状三枚接ぎカップ部）。カップ部１０Ａは、土台部１２Ａに支持されている。土台部１２Ａは、土台部１２と同様に、非伸縮性の布からなっており、カップ部１０Ａの下辺部と縫着されている。土台部１２Ａの脇側には、バック部１４Ａが縫着されている。バック部１４Ａは、バック部１４と同様に、伸縮性の布からなっており、背中において連結することによって、土台部１２Ａ及びカップ部１０Ａを支持するためのものである。また、カップ部１０Ａの上辺部脇側には、ストラップ部１６Ａが縫着されている。ストラップ部１６Ａは、ストラップ部１６と同様に、伸縮性のテープ材からなっており、肩を介してバック部１４Ａに連結されることによって、カップ部１０Ａを支持するためのものである。
【００４７】
また、カップ部１０Ａと土台部１２Ａとの境界の裏側（肌側）には、カップ部１０Ａの下辺部に沿ってテープ部材が縫着されることにより、カップくり部２０Ａが形成されている。このカップくり部２０Ａの内部には、カップワイヤー３０Ａが装着されている。また、土台部１２Ａの下辺部の裏側、バック部１４Ａの下辺部の裏側、及び、土台部１２Ａとバック部１４Ａとの連結部である土台部１２Ａの脇辺部の裏側には、伸縮性のテープ部材が縫着されている。また、カップ部１０Ａの脇辺部から土台部１２Ａの上辺部を介してバック部１４の上辺部までの裏側にも、伸縮性のテープ部材が縫着されている。また、カップ部１０Ａの裏側には、脇押圧部４０Ａが設けられている。
【００４８】
次に、脇押圧部４０Ａについて詳細に説明する。脇押圧部４０Ａは、バスト脇側を押圧するためのものであり、カップ部１０Ａの脇側下部から土台部１２Ａの脇辺部にわたって、カップ部１０Ａ及び土台部１２Ａの裏側に配置されている。また、脇押圧部４０Ａは、カップくり部２０Ａ及びカップワイヤー３０Ａの脇側部分の裏側に重なっている。
【００４９】
より具体的には、脇押圧部４０Ａの脇辺部上側４１ｕは、カップ部１０Ａの脇辺部下側から土台部１２Ａの上辺部にわたって縫着されており、脇押圧部４０Ａの脇辺部下側４１ｌは、土台部１２Ａの脇辺部に縫着されている。すなわち、脇押圧部４０Ａの脇辺部上側４１ｕは、カップ部１０Ａの脇辺部下側及び土台部１２Ａの上辺部によって支持されており、脇押圧部４０Ａの脇辺部下側４１ｌは、土台部１２Ａの脇辺部によって支持されている。
【００５０】
また、脇押圧部４０Ａの脇辺部上側４１ｕ及び脇辺部下側４１ｌ以外の部分は、実質的に支持されていない。すなわち、脇押圧部４０Ａの脇辺部上側４１ｕ及び脇辺部下側４１ｌ以外の部分は、カップ部１０Ａ及び土台部１２Ａと非縫着であってもよいし、カップ部１０Ａ及び土台部１２Ａに対して変位可能に簡易縫着されていてもよい。なお、脇押圧部４０Ａの脇辺部上側４１ｕ及び脇辺部下側４１ｌ以外の縁部は、端始末処理が施されていてもよい。
【００５１】
脇押圧部４０Ａとしては、脇押圧部４０と同様に、非伸縮性又は難伸縮性の部材が用いられる。脇押圧部４０Ａは、クッション性を有していてもよい。
【００５２】
この第２の実施形態のブラジャー１Ａでも、脇押圧部４０Ａがカップくり部２０Ａの裏側においてカップくり部２０Ａの脇側部分と重なっているので、カップくり部２０Ａによる着用者側への押圧力を利用して、脇押圧部４０Ａがバスト脇側を面で押圧することができる。また、カップワイヤー３０Ａの脇側端部による着用者側への押圧力をも利用して、脇押圧部４０Ａがバスト脇側を面で押圧することができる。その結果、バスト脇側をすっきりしたシルエットに造形することができ、バスト脇側の造形性を高めることができる。
【００５３】
また、第２の実施形態のブラジャー１Ａでも、脇押圧部４０Ａがカップ部１０Ａの脇辺部、土台部１２Ａの上辺部、及び、土台部１２Ａの脇辺部によって支持されており、当該支持された部分以外では実質的に支持されていないので、着用者の動きに伴い、バスト脇側の造形性が損なわれることを抑制することができる。
【００５４】
また、第２の実施形態のブラジャー１Ａでも、カップワイヤー３０Ａの端部による着用者側への押圧力を、脇押圧部４０Ａによって面に分散することができるので、カップワイヤー３０Ａの端部の接触による痛みを抑制することができる。
［第２の実施形態の変形例］
【００５５】
図７〜９は、第２の実施形態の変形例に係るブラジャーを裏側（肌側）から示す図である。図７に示すように、土台部１２Ａとバック部１４Ａとの連結部である土台部１２Ａの脇辺部の位置が異なる形態では、脇押圧部４０Ａは、カップくり部２０Ａ及びカップワイヤー３０Ａの脇側部分の裏側をまたぐように配置されてもよい。この形態でも、脇押圧部４０Ａは、カップ部１０Ａの脇側下部から土台部１２Ａの脇辺部にわたって、カップ部１０Ａ及び土台部１２Ａの裏側に配置されており、脇押圧部４０Ａは、カップくり部２０Ａ及びカップワイヤー３０Ａの脇側部分の裏側に重なっている。
【００５６】
より具体的には、脇押圧部４０Ａの上辺部４３は、カップ部１０Ａの脇辺部下側に縫着されており、脇押圧部４０Ａの下辺部４２は、土台部１２Ａの脇辺部及び下辺部に縫着されている。すなわち、脇押圧部４０Ａの上辺部４３は、カップ部１０Ａの脇辺部下側によって支持されており、脇押圧部４０Ａの下辺部４２は、土台部１２Ａの脇辺部及び下辺部によって支持されている。
【００５７】
また、脇押圧部４０Ａの上辺部４３及び下辺部４２以外の部分は、実質的に支持されていない。すなわち、脇押圧部４０Ａの上辺部４３及び下辺部４２以外の部分は、カップ部１０Ａ及び土台部１２Ａと非縫着であってもよいし、カップ部１０Ａ及び土台部１２Ａに対して変位可能に簡易縫着されていてもよい。なお、脇押圧部４０Ａの上辺部４３及び下辺部４２以外の縁部は、端始末処理が施されていてもよい。
【００５８】
また、図８に示すように、脇押圧部４０Ａは、カップ部１０Ａの脇辺部下側及び下辺部脇側によって支持される形態であってもよい。この形態でも、脇押圧部４０Ａは、カップ部１０Ａの脇側下部の裏側に配置されており、カップくり部２０Ａ及びカップワイヤー３０Ａの脇側部分の裏側に重なっている。
【００５９】
より具体的には、脇押圧部４０Ａの脇辺部４１は、カップ部１０Ａの脇辺部下側に縫着されており、脇押圧部４０Ａの下辺部４２は、カップ部１０Ａの下辺部脇側に縫着されている。すなわち、脇押圧部４０Ａの脇辺部４１及び下辺部４２は、それぞれ、カップ部１０Ａの脇辺部下側及び下辺部脇側に支持されている。
【００６０】
また、脇押圧部４０Ａの脇辺部４１及び下辺部４２以外の部分は、実質的に支持されていない。すなわち、脇押圧部４０Ａの脇辺部４１及び下辺部４２以外の部分は、カップ部１０Ａと非縫着であってもよいし、カップ部１０Ａに対して変位可能に簡易縫着されていてもよい。なお、脇押圧部４０Ａの脇辺部４１及び下辺部４２以外の縁部は、端始末処理が施されていてもよい。
【００６１】
なお、図８では、脇押圧部４０Ａが、カップくり部２０Ａよりも裏側に配置され、カップくり部２０Ａと共に縫着される一例を示したが、脇押圧部４０Ａは、カップくり部２０Ａよりも表側に配置されて、カップくり部２０Ａと共に縫着されてもよい。
【００６２】
また、図９に示すように、脇押圧部４０Ａは、カップ部１０Ａの脇辺部下側及び土台部１２Ａの上辺部のみによって支持される形態であってもよい。この形態でも、脇押圧部４０Ａは、カップ部１０Ａの脇側下部から土台部１２Ａの脇辺部にわたって、カップ部１０Ａ及び土台部１２Ａの裏側に配置されており、カップくり部２０Ａ及びカップワイヤー３０Ａの脇側部分の裏側に重なっている。
【００６３】
より具体的には、脇押圧部４０Ａの脇辺部４１は、カップ部１０Ａの脇辺部下側から土台部１２Ａの上辺部にわたって縫着されており、カップ部１０Ａの脇辺部下側及び土台部１２Ａの上辺部によって支持されている。
【００６４】
また、脇押圧部４０Ａの脇辺部４１以外の部分は、実質的に支持されていない。すなわち、脇押圧部４０Ａの脇辺部４１以外の部分は、カップ部１０Ａ及び土台部１２Ａと非縫着であってもよいし、カップ部１０Ａ及び土台部１２Ａに対して変位可能に簡易縫着されていてもよい。なお、脇押圧部４０Ａの脇辺部４１以外の縁部は、端始末処理が施されていてもよい。
【００６５】
なお、本発明は上記した本実施形態に限定されることなく種々の変形が可能である。例えば、本実施形態では、カップワイヤー３０，３０Ａを備えるブラジャーを例示したが、本実施形態の特徴は、カップワイヤーを備えないノンワイヤータイプのブラジャーにも適用可能である。例えば、ノンワイヤータイプのブラジャーでも、バック部による横方向へ引く力によって、カップくり部には着用者側に押圧する力が発生するので、このカップくり部による着用者側への押圧力を利用して、脇押圧部がバスト脇側を面で押圧することができる。
【００６６】
また、第２の実施形態では、ストラップ部１６Ａをカップ部１０Ａの上辺部脇側に縫着したが、ストラップ部１６Ａは、Ｚカン等の係合部材を介してカップ部１０Ａの上辺部脇側に着脱可能に係合されてもよい。
【００６７】
また、本実施形態では、バック部１４，１４Ａの後端をホック等で掛け留めするタイプのブラジャーを例示したが、本実施形態の特徴は、前中心において土台部１２，１２Ａの左右を分離してホック等で掛け留めするフロントホックタイプのブラジャーにも適用可能である。
【００６８】
また、本実施形態の特徴は、フルカップブラジャー、３／４カップブラジャー及び１／２カップブラジャー等のすべてのタイプのブラジャーに適用可能である。
【００６９】
また、本実施形態の特徴は、ブラジャー以外でも、ブラスリップ、ブラキャミソール、ボディスーツ、カップ付きテディ、水着等のようにカップ部を備える衣類であればすべてに適用可能である。
【符号の説明】
【００７０】
１，１Ａ…ブラジャー、１０，１０Ａ…カップ部、１２，１２Ａ…土台部、１４，１４Ａ…バック部、１６，１６Ａ…ストラップ部、２０，２０Ａ…カップくり部、３０，３０Ａ…カップワイヤー、４０，４０Ａ…脇押圧部、４１…脇押圧部の脇辺部、４１ｌ…脇押圧部の脇辺部下側、４１ｕ…脇押圧部の脇辺部上側、４２…脇押圧部の下辺部、４３…脇押圧部の上辺部、４４…脇布バイアステープ、５０…スムージング部。
【図１】
2014196581.tif 000003
【図２】
2014196581.tif 000004
【図３】
2014196581.tif 000005
【図４】
2014196581.tif 000006
【図５】
2014196581.tif 000007
【図６】
2014196581.tif 000008
【図７】
2014196581.tif 000009
【図８】
2014196581.tif 000010
【図９】
2014196581.tif 000011